(57)【要約】      （修正有）【課題】基板の角部および辺部の中央の付近の押圧力を局所的に調整できる研磨ヘッドを提供する。【解決手段】研磨テーブルに取り付けられた研磨パッドによって角形の基板１２１を研磨するための研磨装置の研磨ヘッド１２０であって、ヘッド本体部２００と、ヘッド本体部２００の、研磨テーブルに対向すべき面に設けられた複数の弾性バッグ２１０と、基板１２１を保持するための基板保持プレート２３０であって、弾性バッグ２１０によってヘッド本体部２００から離れる方向に押圧される、基板保持プレート２３０と、を備え、ヘッド本体部２００には、弾性バッグ２１０のそれぞれと連通するバッグ用流路２０１が設けられており、研磨ヘッド１２０はさらに、弾性バッグ２１０と基板保持プレート２３０との間に設けられた、少なくとも２つのサポートプレート２２０を備え、弾性バッグ２１０は、サポートプレート２２０を介して基板保持プレート２３０を押圧する。【選択図】図２Ａ
2020044626.tif 000002
【特許請求の範囲】
【請求項１】
研磨テーブルに取り付けられた研磨パッドによって角形の基板を研磨するための研磨装置の研磨ヘッドであって、
ヘッド本体部と、
前記ヘッド本体部の、前記研磨テーブルに対向すべき面に設けられた複数の弾性バッグと、
前記基板を保持するための基板保持プレートであって、前記弾性バッグによって前記ヘッド本体部から離れる方向に押圧される、基板保持プレートと、
を備え、
前記ヘッド本体部には、前記弾性バッグのそれぞれと連通するバッグ用流路が設けられており、
前記研磨ヘッドはさらに、前記弾性バッグと前記基板保持プレートとの間に設けられた、少なくとも２つのサポートプレートを備え、
前記弾性バッグは、前記サポートプレートを介して前記基板保持プレートを押圧する、
研磨ヘッド。
【請求項２】
請求項１に記載の研磨ヘッドであって、
前記サポートプレートの剛性は前記弾性バッグの剛性より高く、
前記基板保持プレートの剛性は前記弾性バッグの剛性より高い、
研磨ヘッド。
【請求項３】
請求項１または２に記載の研磨ヘッドであって、前記弾性バッグは、前記基板の形状にあわせて行列状に設けられている、研磨ヘッド。
【請求項４】
請求項１から３のいずれか一項に記載の研磨ヘッドであって、前記サポートプレートと前記基板保持プレートの接触面積の合計は、前記サポートプレートと前記弾性バッグの接触面積の合計より大きい、研磨ヘッド。
【請求項５】
請求項１から４のいずれか一項に記載の研磨ヘッドであって、前記弾性バッグのうち、前記基板の外周部の押圧力を制御するための弾性バッグの大きさが、他の弾性バッグの大きさより小さい、研磨ヘッド。
【請求項６】
請求項１から５のいずれか一項に記載の研磨ヘッドであって、
前記バッグ用流路のうち、
前記基板の、ある領域を押圧するための第１の弾性バッグと、
前記基板のうち、前記第１の弾性バッグにより押圧される領域と対称な位置にある領域を押圧するための第２の弾性バッグと、
に連通するバッグ用流路が合流している、研磨ヘッド。
【請求項７】
請求項１から６のいずれか一項に記載の研磨ヘッドであって、前記サポートプレートは、前記弾性バッグのそれぞれと前記基板保持プレートとの間にそれぞれ設けられている、研磨ヘッド。
【請求項８】
請求項１から６のいずれか一項に記載の研磨ヘッドであって、
前記基板の、ある領域を押圧するための第３の弾性バッグと、
前記基板のうち、前記第３の弾性バッグにより押圧される領域と対称な位置にある領域を押圧するための第４の弾性バッグと、
が、同一の前記サポートプレートを共用するように構成される、研磨ヘッド。
【請求項９】
請求項１から８のいずれか一項に記載の研磨ヘッドであって、
前記基板保持プレートと前記サポートプレートの間に設けられた軟質中間プレートをさらに備える、研磨ヘッド。
【請求項１０】
研磨パッドを着脱可能に取り付けるための研磨テーブルであって、前記研磨パッドが取り付けられる、研磨テーブルと、
請求項１から９のいずれか一項に記載の研磨ヘッドであって、前記研磨テーブルと対向する、研磨ヘッドと、
を備える研磨装置。
【請求項１１】
請求項１０に記載の研磨装置であって、前記バッグ用流路に接続された圧力調整機構をさらに備える、研磨装置。
【発明の詳細な説明】
【技術分野】
【０００１】
本発明は、研磨ヘッドおよび研磨装置に関する。
【背景技術】
【０００２】
従来から、基板を研磨パッドに押し付けて基板を研磨する装置が知られている。研磨パッドを備える基板研磨装置において、基板と研磨パッドの間の局所的な押圧力を調整するために、弾性体の膜部材（以下では単に「メンブレン」という。）が用いられる場合がある。たとえば特開２０１７−１６４９０１号公報（特許文献１）には、ヘッド本体の下方に設けられたメンブレンであって、周壁により複数の圧力室に区分けされたメンブレンを備える基板研磨装置が記載されている。特許文献１では、圧力室のそれぞれの内部圧力を独立して制御することにより、基板に加えられる押圧力を基板の領域ごとに調整することができる旨が記載されている。
【先行技術文献】
【特許文献】
【０００３】
【特許文献１】特開２０１７−１６４９０１号公報
【発明の概要】
【発明が解決しようとする課題】
【０００４】
基板研磨装置の構成によっては、角形の基板を研磨する場合に、基板の角部の研磨量および辺部の中央の研磨量が大きくなりやすいことが知られている。したがって、角形の基板を研磨する場合、基板の角部および辺部の中央の付近の押圧力を局所的に調整できることが好ましい。しかし、特許文献１のように円状または環状に区分けされたメンブレンを用いる場合、角形の基板の角部および辺部の中央の付近で局所的に押圧力を調整することは困難である。
【０００５】
そこで本願は、角形の基板を研磨するための好ましい構成を提供することを一つの目的にする。
【課題を解決するための手段】
【０００６】
本願は、一実施形態として、研磨テーブルに取り付けられた研磨パッドによって角形の基板を研磨するための研磨装置の研磨ヘッドであって、ヘッド本体部と、ヘッド本体部の、研磨テーブルに対向すべき面に設けられた複数の弾性バッグと、基板を保持するための基板保持プレート（substrate holding plate）であって、弾性バッグによってヘッド本体部から離れる方向に押圧される、基板保持プレートと、を備え、ヘッド本体部には、弾性バッグのそれぞれと連通するバッグ用流路が設けられており、研磨ヘッドはさらに、弾性バッグと基板保持プレートとの間に設けられた、少なくとも２つのサポートプレートを備え、弾性バッグは、サポートプレートを介して基板保持プレートを押圧する、研磨ヘッドを開示する。
【図面の簡単な説明】
【０００７】
【図１】研磨装置の正面図である。
【図２Ａ】研磨ヘッドの正面断面図である。
【図２Ｂ】研磨ヘッドの底面図である。
【図３】弾性バッグのうち、基板の外周部の押圧力を制御するための弾性バッグの大きさが他の弾性バッグの大きさより小さい研磨ヘッドの底面図である。
【図４】全体として対称な形状に構成されたサポートプレートを備える研磨ヘッドの底面図である。
【図５】軟質中間プレートを備える研磨ヘッドの正面断面図である。
【発明を実施するための形態】
【０００８】
以下では、図面を参照しながら本発明の一実施形態について説明する。ただし、用いられる図面は模式図である。したがって、図示された部品の大きさ、位置および形状などは、実際の装置における大きさ、位置および形状などとは異なり得る。図１は、一実施形態にかかる基板研磨装置１００を示す正面図である。基板研磨装置１００は、研磨テーブル１１０に取り付けられた研磨パッド１１１によって角形の基板を研磨するための装置である。なお、図１における左右方向をＸ方向（紙面右側を正）、紙面に垂直な方向をＹ方向（紙面手前側を正）、上下方向をＺ方向（紙面上側を正）とする。図１の基板研磨装置１００は、いわゆるロータリー式かつフェースダウン式（即ち、基板の被研磨面を下方に向けて研磨を行うタイプ）のＣＭＰ（Chemical Mechanical Polishing:化学機械研磨）装置である。ただし、後述するように、基板研磨装置１００はフェースアップ式のＣＭＰ装置であってもよい。図１の基板研磨装置１００は、研磨テーブル１１０、研磨ヘッド１２０、液体吐出機構１３０を備える。また、基板研磨装置１００には、圧力調整機構１４０が接続されている。基板研磨装置１００はさらに、各要素を制御するための制御部１５０を備える。
【０００９】
研磨テーブル１１０は、Ｚ方向を軸として、ＸＹ平面内で回転可能に構成されている。より具体的には、研磨テーブル１１０は図示しないモータなどにより少なくとも１方向に回転可能である。研磨テーブル１１０の上面には研磨パッド１１１が着脱可能に取り付けられる。図１の研磨テーブル１１０は上部から見て反時計回りに回転可能である。
【００１０】
研磨ヘッド１２０は研磨テーブル１１０に対向するように研磨テーブル１１０の上部に設けられている。研磨ヘッド１２０の下面には角形の基板１２１が着脱可能に取り付けられる。研磨ヘッド１２０は図示しないモータなどにより少なくとも１方向に回転可能である。図１の研磨ヘッド１２０は上部から見て反時計回り（研磨テーブル１１０の回転方向と同じ方向）に回転可能である。また、研磨ヘッド１２０は図示しないヘッド上下動機構により上下に移動可能である。研磨テーブル１１０上の研磨パッド１１１に基板１２１を押し付け、かつ、研磨テーブル１１０および研磨ヘッド１２０の少なくとも片方、好ましくは双方を回転させることにより、基板１２１は研磨される。なお、研磨テーブル１１０および研磨ヘッド１２０の回転方向は一例に過ぎない。
【００１１】
液体吐出機構１３０は研磨液、薬液および／または洗浄液などの液体を研磨パッド１１１に向かって吐出するために設けられている。好ましくは、基板１２１の研磨中に液体吐出機構１３０から研磨液が吐出される。好ましくは、研磨パッド１１１および／または基板１２１の洗浄中に液体吐出機構１３０から洗浄液が吐出される。液体吐出機構１３０の具体的な構成、たとえば液体吐出機構１３０の個数、形状および位置、吐出される液体の種類および量ならびに液体を吐出するタイミングなどは適宜設定されてよい。
【００１２】
圧力調整機構１４０は後述する弾性バッグ２１０（図２参照）のそれぞれの内部に流体を供給することおよび／またはそれぞれの内部から流体を取り除くための機構である。圧力調整機構１４０は、流体を供給することまたは流体を取り除くことにより、弾性バッグ２１０のそれぞれの内部圧力を独立して調整することが可能である。圧力調整機構１４０は基板研磨装置１００の一部を構成する要素であってよい。追加または代替として、基板研磨装置１００と独立した圧力調整機構１４０を用いることも可能である。また、図１の例では、圧力調整機構１４０は基板１２１を真空吸着する際の減圧機構としても働く。ただし、圧力調整機構１４０ではなく、別途設けられた真空発生器によって基板１２１を真空吸着してもよい。圧力調整機構１４０から供給される代表的な流体は空気である。しか
し、圧力調整機構１４０は、たとえば純水または窒素ガスなどの空気以外の流体を供給するよう構成されていてもよい。圧力調整機構１４０はバルブまたはレギュレータなど流体の流れを調整する機構を備えてよい。追加または代替として、研磨ヘッド１２０内部に設けられた流路（たとえばバッグ用流路２０１（図２参照））にバルブまたはレギュレータなどを設けてもよい。
【００１３】
次に、研磨ヘッド１２０の構成について図２を用いて詳述する。図２Ａは研磨ヘッド１２０の正面断面図である。また、図２Ａには基板１２１が想像線で図示されている。さらに、図２Ａには圧力調整機構１４０もあわせて図示されている。図２Ｂは研磨ヘッド１２０の底面図である。
【００１４】
研磨ヘッド１２０は、ヘッド本体部２００と、弾性バッグ２１０と、サポートプレート２２０と、基板保持プレート２３０を備える。好ましくは、研磨ヘッド１２０にはリテーナ２４０が設けられる。図２では、四角柱状のヘッド本体部２００が図示されているが、ヘッド本体部２００の形状は四角柱に限らない。
【００１５】
図２の例では、５行５列（２５個）の弾性バッグ２１０が設けられている（図２では代表して１つの弾性バッグ２１０にのみ符号が付されている）。好ましくは、弾性バッグ２１０は、研磨ヘッド１２０のうち基板１２１が支持される位置の上部に設けられる。好ましくは、弾性バッグ２１０は、基板１２１の形状にあわせて行列状にまたは敷き詰められるように設けられる。基板１２１の形状にあわせて弾性バッグ２１０を配列することで、基板１２１と研磨パッド１１１との間の局所的な押圧力を制御することが容易となる。
【００１６】
図２では円柱状の弾性バッグ２１０が図示されているが、弾性バッグ２１０の形状は円柱状に限らない。たとえば角柱状の弾性バッグ２１０を用いることも可能である。弾性バッグ２１０は少なくともＺ方向に伸縮可能な弾性体から形成された袋状の部材である。弾性バッグ２１０は、ヘッド本体部２００の、研磨テーブル１１０に対向すべき面（図２では下面）に設けられている。
【００１７】
弾性バッグ２１０のそれぞれの内部空間に流体を供給するために、ヘッド本体部２００にはバッグ用流路２０１（図２では代表して１つのバッグ用流路２０１にのみ符号が付されている）が設けられている。より具体的には、それぞれの弾性バッグ２１０のためにバッグ用流路２０１が１つずつ設けられている。バッグ用流路２０１は圧力調整機構１４０に接続されている。すなわち、弾性バッグ２１０のそれぞれは、バッグ用流路２０１のそれぞれを介して圧力調整機構１４０に接続されている。なお、複数の弾性バッグ２１０が１つのバッグ用流路２０１に接続されてもよく、１つのバッグ用流路２０１が複数の圧力調整機構１４０に設けられてもよい。
【００１８】
弾性バッグ２１０の内部の空間は、弾性バッグ２１０外部の空間と隔離されている。弾性バッグ２１０の内部の空間は密封された空間である。圧力調整機構１４０が弾性バッグ２１０に流体を供給すると、弾性バッグ２１０の内部の空間が加圧される。弾性バッグ２１０の内部の空間が加圧されると、弾性バッグ２１０は少なくともヘッド本体部２００から離れる方向（この例ではＺ軸負方向、すなわち図２Ａの下方向）に伸長する。伸長した弾性バッグ２１０は、後述するサポートプレート２２０を介して後述する基板保持プレート２３０をヘッド本体部２００から離れる方向に押圧する。換言すれば、弾性バッグ２１０が伸長する際に発生する圧力が、サポートプレート２２０を介して基板保持プレート２３０に伝達される。サポートプレート２２０により押された基板保持プレート２３０は、基板１２１をＺ軸負方向に押す。
【００１９】
圧力調整機構１４０が弾性バッグ２１０の内部の空間を減圧すると、弾性バッグ２１０
が基板１２１を押す力は弱くなる。弾性バッグ２１０のそれぞれの内部圧力を独立して調整することにより、基板１２１と研磨パッド１１１との間の押圧力を局所的に制御することが可能になる。
【００２０】
弾性バッグ２１０は弾性体であるので、不定形である。したがって、弾性バッグ２１０が後述する基板保持プレート２３０を直接押す構造を採用した場合、弾性バッグ２１０が基板保持プレート２３０を押す面の形状は、隣合う弾性バッグ２１０の影響により不安定になり得る。また、弾性バッグ２１０が基板保持プレート２３０を直接押す構造を採用した場合、研磨時に基板保持プレート２３０に加わるＸ−Ｙ方向の力により、弾性バッグ２１０が基板保持プレート２３０を押す面の位置がずれることがあり得る。そこで、弾性バッグ２１０と基板保持プレート２３０の間には、サポートプレート２２０が設けられている（図２では代表して１つのサポートプレート２２０にのみ符号が付されている）。図２の例では、サポートプレート２２０は、弾性バッグ２１０のそれぞれと前記基板保持プレートとの間にそれぞれ設けられている。図２のサポートプレート２２０のそれぞれは、弾性バッグ２１０のそれぞれと対応するように設けられているとも表現できる。図２のサポートプレート２２０は、底面が正方形である四角柱状である。しかし、サポートプレート２２０の形状は図２に示した形状に限らない。
【００２１】
サポートプレート２２０の剛性は弾性バッグ２１０の剛性より高いことが好ましい。たとえば、サポートプレート２２０はステンレス鋼から形成されてよい。サポートプレート２２０の剛性を弾性バッグ２１０の剛性より高くすることで、弾性バッグ２１０が基板保持プレート２３０を押す面はサポートプレート２２０の形状に倣うことになり、隣合う弾性バッグ２１０の影響を受けずに押す面の形状を保持できるようになる。好ましくは、サポートプレート２２０は、基板１２１の形状にあわせて敷き詰められるように配置される。さらに好ましくは、サポートプレート２２０と基板保持プレート２３０の接触面積の合計は、サポートプレート２２０と弾性バッグ２１０の接触面積の合計より大きい。隣り合うサポートプレート２２０同士間の空隙はできる限り小さいことが好ましい。基板保持プレート２３０との接触面積を大きくすることおよびサポートプレート２２０同士間の空隙を小さくすることで、基板保持プレート２３０のうち他の部材により押されることがない領域を小さくすることができる。
【００２２】
基板保持プレート２３０は基板１２１を少なくとも一時的に保持するための部材である。図２の基板保持プレート２３０は断面Ｕ字状の部材である。基板保持プレート２３０のＵ字の「腕」の部分は、ヘッド本体部２００に固定されている。基板保持プレート２３０のうち基板１２１と接触しない面は、サポートプレート２２０と結合している。基板保持プレート２３０は、前述の弾性バッグ２１０およびサポートプレート２２０を取り囲むように設けられている。好ましくは、基板保持プレート２３０の投影面積は、基板１２１の面積とおおよそ等しい。
【００２３】
基板１２１を保持するために、かつ、基板１２１の研磨の基準面となるために、基板保持プレート２３０にはある程度の剛性が求められる。基板保持プレート２３０の剛性は少なくとも弾性バッグ２１０の剛性より高いことが好ましい。たとえば、基板保持プレート２３０は硬質のポリ塩化ビニル（ＰＶＣ）などの硬質プラスチックから構成されてよい。
【００２４】
基板保持プレート２３０の縁部の付近には、基板１２１を真空吸着するための開口２３１が設けられている（図２では代表して１つの開口２３１にのみ符号が付されている）。また、図２の例では、ヘッド本体部２００に吸着用流路２０２が設けられている（図２では代表して１つの吸着用流路２０２にのみ符号が付されている）。吸着用流路２０２は開口２３１と連通しており、かつ、圧力調整機構１４０と接続されている。
【００２５】
リテーナ２４０は基板１２１の側部を囲うようにヘッド本体部２００に設けられている部材である。リテーナ２４０は、基板１２１が適切な位置に配置されることを確実にする。また、リテーナ２４０は、研磨パッド１１１を押圧して研磨パッド１１１の研磨面を平坦化するためにも用いられてよい。図２では、基板の各辺に沿うように配置された、４つの細長い直方体の部品がリテーナ２４０を構成する。他の例として、リテーナ２４０はたとえば四角環状の部材であってもよい。さらなる他の例として、基板の角部の直近に位置する部分が独立した部材で構成されたリテーナ２４０を用いてもよい。リテーナ２４０は、リテーナ加圧機構２４１を介してヘッド本体部２００に固定されていてよい。図２のリテーナ加圧機構２４１は袋体である。図２のリテーナ加圧機構２４１は圧力調整機構１４０から流体の供給を受けることでリテーナ２４０を押圧する。ただし、リテーナ加圧機構２４１の構成は図２に示された構成に限らない。リテーナ２４０の最下部から基板１２１が突出するよう、リテーナ２４０およびその他の部品が構成され、かつ、リテーナ加圧機構２４１に対する流体の供給量が制御される。基板１２１の突出量は、たとえば基板１２１の厚みの半分以下である。
【００２６】
図２に示した研磨ヘッド１２０は、円状又は環状に区分けされたメンブレンを用いた従来の研磨ヘッドよりも、より局所的に研磨パッド１１１と基板１２１の間の押圧力を制御することが可能である。たとえば基板の角部および基板の辺部の中央において過研磨が生じる場合、基板の角部および基板の辺部の中央に位置する弾性バッグ２１０の内部圧力を下げること、および／または、基板の角部および基板の辺部の中央に位置しない弾性バッグ２１０の内部圧力を上げることで、基板１２１の研磨を均一化することができる。
【００２７】
従来用いられていた、周壁により複数の領域に区分けされたメンブレンの大きさは、基板１２１の大きさとおおよそ同じ大きさであった。したがって、従来用いられていたメンブレンを製作するためには、多大なコストおよび時間が必要であった。一方で、図２に示した研磨ヘッド１２０の各部品の大きさは、基板１２１の大きさと比較して小さい。したがって、図２の研磨ヘッド１２０は、従来の研磨ヘッドより容易に製作することが可能であると考えられる。さらに、図２の研磨ヘッド１２０は、弾性バッグ２１０およびサポートプレート２２０の個数、配列および形状等を変更することで、様々なサイズおよび形状の基板１２１に対応することが可能である。
【００２８】
円形基板、特に円形のシリコンウエハについては、国際的な規格（Semiconductor Equipment and Materials International standards、SEMI規格とも）が確立されている。したがって、例外は存在し得るものの、基本的には、円形の基板は規格化された形状を有すると考えられる。一方で、本願の出願時点において出願人が知る限りにおいては、角形基板について、国際的に承認され、かつ、国際的に普及した規格は存在しない。したがって、角形基板のサイズおよび形状は、円形基板のサイズおよび形状より多種多様にわたると考えられる。よって、様々なサイズおよび形状の基板に対応することができることは、角形基板のための研磨装置において重要な機能であるといえる。
【００２９】
さらに、出願人は、従来用いられていたメンブレンには以下に説明する課題があることを見出した。従来用いられていたメンブレンを加圧した場合、メンブレンのうち周壁が真上または真下に存在する部分と、それ以外の部分とではＺ方向の伸長量が異なり得る。さらに、メンブレンのうち周壁が真上または真下に存在する部分と、それ以外の部分とではＺ方向の剛性が異なり得る。したがって、従来のメンブレンを加圧した場合、メンブレンに凹凸が発生し、結果として基板１２１の研磨の均一性が低下し得るという課題がある。
【００３０】
基板１２１の剛性が比較的高い場合、たとえば基板１２１が０．５〜１ｍｍ厚のシリコンウエハである場合、メンブレンに凹凸が発生したとしても、研磨の均一性はそれほど低下しないと考えられる。しかし、基板１２１の剛性が比較的低い場合、たとえば基板１２
１が０．１ｍｍ厚の樹脂基板である場合、メンブレンに発生した凹凸は大きな問題となる。前述のとおり、角形基板は円形基板に比べてバリエーションに富むと考えられるので、凹凸による研磨均一性の低下が問題となりやすい。
【００３１】
図２に示した研磨ヘッド１２０には周壁が存在しない。さらに、図２に示した研磨ヘッド１２０では、メンブレンのような弾性体が基板１２１を保持しているわけではなく、基板保持プレート２３０が基板１２１を保持している。基板保持プレート２３０はたとえばＰＶＣなど、従来のメンブレンより剛性が高い材質で形成されている。したがって、基板保持プレート２３０は、従来のメンブレンと比較して凹凸が発生しにくいと考えられる。したがって、図２に示した研磨ヘッド１２０を用いることで、基板１２１の研磨の均一性を向上させ得る。
【００３２】
研磨ヘッド１２０の変形例を図３に示す。図３は変形例にかかる研磨ヘッド１２０の底面図である。図３では、基板１２１が基板保持プレート２３０により保持された際に基板１２１の外周部に位置する弾性バッグ２１０およびサポートプレート２２０のサイズが縮小されている。ここで、「弾性バッグ２１０およびサポートプレート２２０のサイズ」とは「Ｚ方向から見た場合の大きさ」すなわち「ＸＹ平面上の投影面積」である。「基板１２１が基板保持プレート２３０により保持された際に基板１２１の外周部に位置する弾性バッグ２１０およびサポートプレート２２０」は、「基板１２１の外周部の押圧力を制御するための弾性バッグ２１０およびサポートプレート２２０」と表現することもできる。サイズが縮小された分、基板１２１の外周部に該当する領域には、図２の例より多数の弾性バッグ２１０およびサポートプレート２２０が配置されている。一方で、図３では、基板１２１の外周部の押圧力を制御するための弾性バッグ２１０以外の弾性バッグ２１０およびサポートプレート２２０（中央付近に位置する弾性バッグ２１０およびサポートプレート２２０）のサイズは、基板１２１の外周部の押圧力を制御するための弾性バッグ２１０以外の弾性バッグ２１０およびサポートプレート２２０のサイズよりも大きい。
【００３３】
前述のとおり、基板研磨装置１００の構成によっては、角形の基板１２１を研磨パッドに押し付けて研磨する場合、基板の角部の研磨量および基板の辺部の中央の研磨量が大きくなりやすい。したがって、角形の基板１２１の外周部における押圧力を精密に制御できることが好ましい。一方で、角形の基板１２１の中心付近では、外周部付近ほど精密に押圧力を制御しなくともよいと考えられる。図３の構成によれば、縮小化された多数の弾性バッグ２１０およびサポートプレート２２０により、基板１２１の外周部においてより精密、かつ、より局所的な押圧力の制御が可能になる。中心付近の弾性バッグ２１０およびサポートプレート２２０のサイズを大きく保つことにより、すべての弾性バッグ２１０およびサポートプレート２２０のサイズを小さくして敷き詰めた場合に比べて、部品点数の削減および制御の簡易化を実現できる。
【００３４】
図３には、弾性バッグ２１０およびサポートプレート２２０の双方のサイズを小さくした例が示されている。しかし、弾性バッグ２１０およびサポートプレート２２０のどちらか一方のサイズのみを小さくすることも可能である。たとえば弾性バッグ２１０のサイズのみを小さくした場合、複数の弾性バッグ２１０が１つのサポートプレート２２０を共用することとなる。また、図３には、基板１２１の外周部の押圧力を制御するための弾性バッグ２１０およびサポートプレート２２０のサイズを小さくした例が示されている。代替として、基板１２１の角部の押圧力を制御するための弾性バッグ２１０および／またはサポートプレート２２０のサイズを小さくしてもよい。
【００３５】
研磨ヘッド１２０のさらなる変形例を図４に示す。ただし、図示の便宜上、図４では吸着用流路２０２、基板保持プレート２３０、開口２３１、リテーナ２４０およびリテーナ加圧機構２４１は図示されていない。代替として、図４には基板１２１が想像線で図示さ
れている。
【００３６】
基板１２１が対称性を有する場合、対称性を崩すような何らかの外的要因がなければ、基板１２１の研磨プロファイルも対象になると考えられる。そこで、図４の例では、図２と異なった形状のサポートプレート２２０を用いることにより、部品点数の削減、研磨の均一性の向上、および、制御の簡易化を実現している。図４のサポートプレート２２０は、全体として対称な形状に構成されている。なお、説明の便宜上、図４には弾性バッグ２１０の行番号および列番号が示されている。以下では、弾性バッグ２１０の位置を（列番号，行番号）で表示する。ここで、図中には列番号が「Col. x」と、行番号が「Row y」と示されている（xおよびyは１から始まる整数）。
【００３７】
以下の位置の弾性バッグ２１０のために設けられたサポートプレート２２０は図２のサポートプレート２２０と類似している。（１，１）、（１，３）、（１，５）、（２，２）、（２，４）、（３，１）、（３，３）、（３，５）、（４，２）、（４，４）、（５，１）、（５，３）および（５，５）。
【００３８】
（２，３）、（３，２）、（３，４）および（４，３）に位置する弾性バッグ２１０のために、中央がくりぬかれた十字状のサポートプレート２２０が設けられている。換言すれば、（２，３）、（３，２）、（３，４）および（４，３）に位置する弾性バッグ２１０は、１つの十字状のサポートプレート２２０を共用している。同様に、（１，２）および（２，１）に位置する弾性バッグ２１０のために、ダンベル状（より正確には、ダンベルを平面視した形状）のサポートプレート２２０が設けられている。ダンベル状のサポートプレート２２０は他にも、（１，４）および（２，５）、（４，１）および（５，２）、ならびに、（４，５）および（５，４）に位置する弾性バッグ２１０のためにも設けられている。
【００３９】
（３，３）を中心として対称な位置にある複数の弾性バッグ２１０が１つのサポートプレート２２０を共用することで、サポートプレート２２０の個数を減少することが可能である。さらに、対称な位置にある複数の弾性バッグ２１０が１つのサポートプレート２２０を共用することで、対称な位置にある弾性バッグ２１０からの押圧力が均等化される。したがって、図４の構成によれば、基板１２１の研磨の均一性が向上すると考えられる。
【００４０】
さらに、（３，３）を中心として対称な位置にある複数の弾性バッグ２１０の内部圧力がほぼ同圧力となるよう研磨ヘッド１２０を構成してもよい。たとえば、（２，３）、（３，２）、（３，４）および（４，３）に位置する弾性バッグ２１０に常に同一の圧力が印加されるように、それらの弾性バッグ２１０に接続されたバッグ用流路２０１が合流している構成を採用することができる。他の例として、（１，１）、（１，５）、（５，１）および（５，５）に位置する弾性バッグ２１０に接続されたバッグ用流路２０１を合流させてもよい。対称な位置にある弾性バッグ２１０の内部圧力がほぼ同圧力となるよう研磨ヘッド１２０を構成することで、すべての弾性バッグ２１０の内部圧力を独立に制御する必要がなくなる。すなわち、図４の構成によれば、弾性バッグ２１０の内部圧力の制御が簡易化される。また、対称な位置にある弾性バッグ２１０のバッグ用流路２０１を合流させることで、対称な位置にある弾性バッグ２１０の内部圧力を均一化することが可能である。一方で、サポートプレート２２０を弾性バッグ２１０のそれぞれの下部に１つずつ設ける場合（図２を参照）、図４の例より押圧力を局所的に制御することが可能である。
【００４１】
なお、図４のサポートプレート２２０の構成はあくまで例示に過ぎない。サポートプレート２２０の構成は、基板１２１の形状、弾性バッグ２１０の形状および弾性バッグ２１０の個数などに応じて適宜決定されるべきであることを留意されたい。特に、サポートプレート２２０の構成は基板１２１の対称性に応じて決定されることが好ましい。ただし、
研磨ヘッド１２０は、少なくとも２つの独立したサポートプレート２２０を備える。
【００４２】
さらなる変形例として、軟質中間プレート５００を備える研磨ヘッド１２０について説明する。図５は軟質中間プレート５００を備える研磨ヘッド１２０の正面断面図である。軟質中間プレート５００はサポートプレート２２０と基板保持プレート２３０との間に設けられている、軟質の板状の部材である。ここで「軟質」とは、サポートプレート２２０および基板保持プレート２３０の双方より剛性の低い部材であることを意味する。なお、軟質中間プレート５００の剛性は、弾性バッグ２１０の剛性より高くても低くてもよい。たとえば、軟質中間プレート５００はスポンジまたはラバーなどの材料から形成されてよい。
【００４３】
前述のとおり、基板保持プレート２３０はある程度の剛性を有する。さらに、サポートプレート２２０は基板保持プレート２３０よりも高い剛性を有することがある。剛性の高い部材同士を用いる場合、どちらかの部材の表面に凹凸が存在すると、双方の部材の一部の領域のみが接触することとなる。したがって、剛性の高い部材同士を接触させた場合には、一方の部材から他方の部材への力の伝達が不均一になる可能性がある。
【００４４】
そこで、図５の研磨ヘッド１２０は、サポートプレート２２０と基板保持プレート２３０との間に軟質中間プレート５００を介在させている。換言すれば、基板保持プレート２３０は軟質中間プレート５００を介して間接的にサポートプレート２２０と結合されている。軟質中間プレート５００は軟質であるため、サポートプレート２２０および／または基板保持プレート２３０の表面の凹凸に応じて変形することが可能である。したがって、軟質中間プレート５００とサポートプレート２２０との接触、および、軟質中間プレート５００と基板保持プレート２３０との接触は、剛性の高い部材同士の接触と比較して面接触に近い接触になる。したがって、研磨ヘッド１２０は、軟質中間プレート５００を備えることにより、サポートプレート２２０から基板保持プレート２３０への押圧力の伝達を均一化することが可能である。
【００４５】
なお、図５の例では、研磨ヘッド１２０は１枚の軟質中間プレート５００を有するものとして説明した。換言すれば、図５の例では、すべてのサポートプレート２２０が１つの軟質中間プレート５００を共用している。しかし、軟質中間プレート５００の枚数は１枚に限られない。たとえば、それぞれのサポートプレート２２０と基板保持プレート２３０との間に軟質中間プレート５００が１つずつ設けられていてもよい。この場合、軟質中間プレート５００の数はサポートプレート２２０の数と同一となる。
【００４６】
以上、いくつかの本発明の実施形態について説明してきたが、上記した発明の実施形態は、本発明の理解を容易にするためのものであり、本発明を限定するものではない。本発明は、その趣旨を逸脱することなく、変更、改良され得るとともに、本発明にはその等価物が含まれることは勿論である。また、上述した課題の少なくとも一部を解決できる範囲、または、効果の少なくとも一部を奏する範囲において、特許請求の範囲および明細書に記載された各構成要素の任意の組み合わせ、または、省略が可能である。
【００４７】
たとえば、弾性バッグ２１０の個数および形状は図示されたものに限らない。また、実施形態では基板１２１は正方形（より正確には、底面が正方形の四角柱）であるとして説明した。しかし、基板１２１の形状は長方形または台形などの正方形以外の四角形であってもよい。さらに、基板１２１は三角形または五角形など、四角系以外の形状であってもよい。また、たとえば図３に示された構成と図４に示された構成を組み合わせることもできる。
【００４８】
上述の実施形態と変形例では、本発明の研磨ヘッドをフェースダウン式のＣＭＰ装置に
適用したが、これに替えてフェースアップ式（即ち、基板の被研磨面を上方に向けて研磨を行うタイプ）のＣＭＰ装置に適用することも可能である。したがって、本明細書における「上」または「下」という用語は、相対的な方向を表わす用語に過ぎない。たとえば、研磨ヘッドの上面に保持される角形の基板の上方に、角形の基板の中心と角部間が最長の距離の２倍（長方形の場合は対角線）とさらにリテーナの幅の２倍を合わせた長さよりも数ｃｍ長い研磨パッドを備える研磨テーブルを配置させることで、特開平10-291151のように研磨装置を小型化することが可能である。また、図１のフェースダウン式の基板研磨装置１００で上下を逆にすることでも可能である。フェースアップ式の研磨装置の場合、研磨液、薬液および／または洗浄液などの基板の処理液体は研磨テーブルの内部を介して研磨パッドの開口から下に位置する基板の上面に供給するのが好ましい。
【００４９】
本願は、一実施形態として、研磨テーブルに取り付けられた研磨パッドによって角形の基板を研磨するための研磨装置の研磨ヘッドであって、ヘッド本体部と、ヘッド本体部の、研磨テーブルに対向すべき面に設けられた複数の弾性バッグと、基板を保持するための基板保持プレートであって、弾性バッグによってヘッド本体部から離れる方向に押圧される、基板保持プレートと、を備え、ヘッド本体部には、弾性バッグのそれぞれと連通するバッグ用流路が設けられており、研磨ヘッドはさらに、弾性バッグと基板保持プレートとの間に設けられた、少なくとも２つのサポートプレートを備え、弾性バッグは、サポートプレートを介して基板保持プレートを押圧する、研磨ヘッドを開示する。
【００５０】
この研磨ヘッドは、弾性バッグの内部圧力を制御することにより、基板と研磨パッドとの間の押圧力を局所的に制御することが可能になるという効果を一例として奏する。
【００５１】
さらに本願は、一実施形態として、サポートプレートの剛性は弾性バッグの剛性より高く、基板保持プレートの剛性は弾性バッグの剛性より高い、研磨ヘッドを開示する。
【００５２】
この研磨ヘッドは、弾性バッグが基板保持プレートを均一に押し得るという効果を一例として奏する。さらに、この研磨ヘッドは、従来のメンブレンを用いた装置と比較して基板を均一に研磨し得るという効果を一例として奏する。
【００５３】
さらに本願は、一実施形態として、弾性バッグは、基板の形状にあわせて行列状に設けられている、研磨ヘッドを開示する。
【００５４】
この研磨ヘッドは、基板と研磨パッドとの間の局所的な押圧力を制御することが容易となるという効果を一例として奏する。
【００５５】
さらに本願は、一実施形態として、サポートプレートと基板保持プレートの接触面積の合計は、サポートプレートと弾性バッグの接触面積の合計より大きい、研磨ヘッドを開示する。
【００５６】
この研磨ヘッドは、基板保持プレートのうち他の部材により押されることがない領域を小さくすることができるという効果を一例として奏する。
【００５７】
さらに本願は、一実施形態として、弾性バッグのうち、基板の外周部の押圧力を制御するための弾性バッグの大きさが、他の弾性バッグの大きさより小さい、研磨ヘッドを開示する。
【００５８】
この研磨ヘッドは、基板の外周部において、より精密、かつ、より局所的な押圧力の制御が可能になるという効果を一例として奏する。
【００５９】
さらに本願は、一実施形態として、バッグ用流路のうち、基板の、ある領域を押圧するための第１の弾性バッグと、基板のうち、第１の弾性バッグにより押圧される領域と対称な位置にある領域を押圧するための第２の弾性バッグと、に連通するバッグ用流路が合流している、研磨ヘッドを開示する。
【００６０】
この研磨ヘッドは、弾性バッグの内部圧力の制御を簡易化し得るという効果を一例として奏する。
【００６１】
さらに本願は、一実施形態として、サポートプレートは、弾性バッグのそれぞれと基板保持プレートとの間にそれぞれ設けられている、研磨ヘッドを開示する。
【００６２】
この研磨ヘッドは、２つ以上の弾性バッグが１つのサポートプレートを共用する場合に比べ、押圧力を局所的に制御することが可能であるという効果を一例として奏する。
【００６３】
さらに本願は、一実施形態として、基板の、ある領域を押圧するための第３の弾性バッグと、基板のうち、第３の弾性バッグにより押圧される領域と対称な位置にある領域を押圧するための第４の弾性バッグと、が、同一のサポートプレートを共用するように構成される、研磨ヘッドを開示する。
【００６４】
この研磨ヘッドは、対称な位置にある弾性バッグからの押圧力を均等化し得、かつ／または、弾性バッグの内部圧力の制御を簡易化し得るという効果を一例として奏する。
【００６５】
さらに本願は、一実施形態として、基板保持プレートとサポートプレートの間に設けられた軟質中間プレートをさらに備える、研磨ヘッドを開示する。
【００６６】
この研磨ヘッドは、サポートプレートから基板保持プレートへの押圧力の伝達を均一化し得るという効果を一例として奏する。
【００６７】
さらに本願は、一実施形態として、研磨パッドを着脱可能に取り付けるための研磨テーブルであって、研磨パッドが取り付けられる、研磨テーブルと、請求項１から９のいずれか一項に記載の研磨ヘッドであって、研磨テーブルと対向する、研磨ヘッドと、を備える研磨装置を開示する。さらに本願は、一実施形態として、バッグ用流路に接続された圧力調整機構をさらに備える、研磨装置を開示する。
【００６８】
この開示内容により、実施形態にかかる研磨ヘッドが適用される装置が明らかになる。
【符号の説明】
【００６９】
１００…基板研磨装置
１１０…研磨テーブル
１１１…研磨パッド
１２０…研磨ヘッド
１２１…基板
１３０…液体吐出機構
１４０…圧力調整機構
１５０…制御部
２００…ヘッド本体部
２０１…バッグ用流路
２０２…吸着用流路
２１０…弾性バッグ
２２０…サポートプレート
２３０…基板保持プレート
２３１…開口
２４０…リテーナ
２４１…リテーナ加圧機構
５００…軟質中間プレート
【図１】
2020044626.tif 000003
【図２Ａ】
2020044626.tif 000004
【図２Ｂ】
2020044626.tif 000005
【図３】
2020044626.tif 000006
【図４】
2020044626.tif 000007
【図５】
2020044626.tif 000008